(57)【特許請求の範囲】
【請求項１】
衣類を収容する処理チャンバーが形成されるケースと、
前記処理チャンバーにスチームを供給するためのスチームユニットと、
前記処理チャンバー内の空気を吸入するための送風ユニットと、
前記送風ユニットに吸入される空気のインレット温度を測定するインレット温度センサーと、
前記送風ユニットが吸入した空気を加熱して前記処理チャンバー内に供給するためのヒートポンプユニットと、
前記スチームユニットが予熱する時、前記送風ユニットの動作と前記ヒートポンプユニットの動作しないことを制御する制御ユニットとを含み、
前記制御ユニットは、前記スチームユニットを予熱しながら前記送風ユニットの作動を開始するとき、前記インレット温度センサーが測定した予熱インレット温度（Ｔ１）に基づいて前記ヒートポンプユニットの作動を制御する、衣類処理装置。
【請求項２】
前記制御ユニットは、前記予熱インレット温度（Ｔ１）が所定の基準インレット温度（Ｔ＿ｉｎ）より高いか同じ場合、前記ヒートポンプユニットが、前記送風ユニットの吸入した空気を、前記予熱インレット温度（Ｔ１）が前記基準インレット温度（Ｔ＿ｉｎ）より低い場合より低速で加熱するように、前記ヒートポンプユニットを制御する、請求項１に記載の衣類処理装置。
【請求項３】
前記制御ユニットは、前記ヒートポンプユニットを駆動するうちに前記インレット温度センサーが測定した乾燥インレット温度（Ｔ２）と前記予熱インレット温度（Ｔ１）を比較して前記ヒートポンプユニットを制御する、請求項１に記載の衣類処理装置。
【請求項４】
前記制御ユニットは、前記予熱インレット温度（Ｔ１）が所定の基準インレット温度（Ｔ＿ｉｎ）より低い場合かつ乾燥インレット温度（Ｔ２）と前記予熱インレット温度（Ｔ１）の差が所定の第１基準温度差（ΔＤ１）より大きいか同じ場合、前記ヒートポンプユニットの駆動を中止し、
前記制御ユニットは、前記予熱インレット温度（Ｔ１）が前記基準インレット温度（Ｔ＿ｉｎ）より高いか同じ場合かつ乾燥インレット温度（Ｔ２）と前記予熱インレット温度（Ｔ１）の差が所定の第２基準温度差（ΔＤ２）より大きいか同じ場合、前記ヒートポンプユニットの駆動を中止し、
前記第２基準温度差（ΔＤ２）は前記第１基準温度差（ΔＤ１）より小さい、請求項３に記載の衣類処理装置。
【請求項５】
前記ヒートポンプユニットは、冷媒を圧縮する圧縮機と、前記圧縮機で圧縮された冷媒を前記送風ユニットに吸入された空気と熱交換する凝縮器とを含み、
前記制御ユニットは、前記予熱インレット温度（Ｔ１）が所定の基準インレット温度（Ｔ＿ｉｎ）より低い場合、前記圧縮機を所定の第１運転速度（Ｖ１）で駆動し、
前記制御ユニットは、前記予熱インレット温度（Ｔ１）が前記基準インレット温度（Ｔ＿ｉｎ）より高いか同じ場合、前記圧縮機を所定の第２運転速度（Ｖ２）で駆動し、
前記第２運転速度（Ｖ２）は前記第１運転速度（Ｖ１）より低い、請求項１に記載の衣類処理装置。
【請求項６】
前記制御ユニットは、前記圧縮機を前記第１運転速度（Ｖ１）で駆動するとき、前記インレット温度センサーが測定した乾燥インレット温度（Ｔ２）と前記予熱インレット温度（Ｔ１）の差が所定の第１基準温度差（ΔＤ１）より大きいか同じ場合、前記圧縮機の運転を終了し、
前記制御ユニットは、前記圧縮機を前記第２運転速度（Ｖ２）で駆動するとき、前記インレット温度センサーが測定した乾燥インレット温度（Ｔ２）と前記予熱インレット温度（Ｔ１）の差が所定の第２基準温度差（ΔＤ２）より大きいか同じ場合、前記圧縮機の運転を終了し、
前記第２基準温度差（ΔＤ２）は前記第１基準温度差（ΔＤ１）より小さい、請求項５に記載の衣類処理装置。
【請求項７】
衣類を収容する処理チャンバーが形成されるケースと、
前記処理チャンバーにスチームを供給するためのスチームユニットと、
前記処理チャンバー内の空気を吸入するための送風ユニットと、
前記送風ユニットに吸入される空気のインレット温度を測定するインレット温度センサーと、
前記送風ユニットが吸入した空気を加熱して前記処理チャンバー内に供給するためのヒートポンプユニットを含む衣類処理装置の制御方法であって、
前記送風ユニットを駆動する段階と、
前記送風ユニットの駆動に応じて、前記スチームユニットを予熱し、前記送風ユニットに吸入される空気の予熱インレット温度（Ｔ１）を測定する段階と、
前記スチームユニットが前記処理チャンバーにスチームを供給する段階と、
前記スチームユニットの駆動を中止した後、前記送風ユニットを駆動して前記処理チャンバー内の温度を下降させる段階と、
前記予熱インレット温度（Ｔ１）によって前記ヒートポンプユニットを制御して前記送風ユニットが吸入した空気を加熱して前記処理チャンバー内に吐き出す段階を含む、衣類処理装置制御方法。
【請求項８】
前記送風ユニットを駆動する段階は、前記ヒートポンプユニットを駆動しないことを含み、
前記送風ユニットを駆動して前記ヒートポンプユニットを駆動しないとき、前記スチームユニットを予熱し、前記予熱インレット温度（Ｔ１）を測定する、請求項７に記載の衣類処理装置制御方法。
【請求項９】
前記予熱インレット温度（Ｔ１）が所定の基準インレット温度（Ｔ＿ｉｎ）より高いか同じ場合、前記ヒートポンプユニットは、前記送風ユニットが吸入した空気を、前記予熱インレット温度（Ｔ１）が前記基準インレット温度（Ｔ＿ｉｎ）より低い場合より低速で加熱する、請求項７に記載の衣類処理装置制御方法。
【請求項１０】
前記ヒートポンプユニットが駆動されるとき、前記送風ユニットに吸入される空気の乾燥インレット温度（Ｔ２）を測定する段階と、
前記乾燥インレット温度（Ｔ２）と前記予熱インレット温度（Ｔ１）の差によって前記ヒートポンプユニットの駆動を中止する段階を含む、請求項７に記載の衣類処理装置制御方法。
【請求項１１】
前記予熱インレット温度（Ｔ１）が所定の基準インレット温度（Ｔ＿ｉｎ）より低い場合かつ前記乾燥インレット温度（Ｔ２）と前記予熱インレット温度（Ｔ１）の差が所定の第１基準温度差（ΔＤ１）より大きいか同じ場合、前記ヒートポンプユニットの駆動を中止する段階と、
前記予熱インレット温度（Ｔ１）が前記基準インレット温度（Ｔ＿ｉｎ）より高いか同じ場合かつ前記乾燥インレット温度（Ｔ２）と前記予熱インレット温度（Ｔ１）の差が所定の第２基準温度差（ΔＤ２）より大きいか同じ場合、前記ヒートポンプユニットの駆動を中止する段階を含み、
前記第２基準温度差（ΔＤ２）は前記第１基準温度差（ΔＤ１）より小さい、請求項１０に記載の衣類処理装置制御方法。
【請求項１２】
前記ヒートポンプユニットは、冷媒を圧縮する圧縮機と、前記圧縮機で圧縮された冷媒を前記送風ユニットに吸入された空気と熱交換する凝縮器とを含み、
前記予熱インレット温度（Ｔ１）が所定の基準インレット温度（Ｔ＿ｉｎ）より低い場合、前記圧縮機を所定の第１運転速度（Ｖ１）で駆動し、
前記予熱インレット温度（Ｔ１）が前記基準インレット温度（Ｔ＿ｉｎ）より高いか同じ場合、前記圧縮機を所定の第２運転速度（Ｖ２）で駆動し、
前記第２運転速度（Ｖ２）は前記第１運転速度（Ｖ１）より低い、請求項７に記載の衣類処理装置制御方法。
【請求項１３】
前記圧縮機を前記第１運転速度（Ｖ１）で駆動するとき、前記インレット温度センサーが測定した乾燥インレット温度（Ｔ２）と前記予熱インレット温度（Ｔ１）の差が所定の第１基準温度差（ΔＤ１）より大きいか同じ場合、前記圧縮機の運転を終了する段階と、
前記圧縮機を前記第２運転速度（Ｖ２）で駆動するとき、前記インレット温度センサーが測定した乾燥インレット温度（Ｔ２）と前記予熱インレット温度（Ｔ１）の差が所定の第２基準温度差（ΔＤ２）より大きいか同じ場合、前記圧縮機の運転を終了する段階を含み、
前記第２基準温度差（ΔＤ２）は前記第１基準温度差（ΔＤ１）より小さい、請求項１２に記載の衣類処理装置制御方法。
【発明の詳細な説明】
【技術分野】
【０００１】
本発明は衣類処理装置に関するものである。
【背景技術】
【０００２】
衣類処理装置は、例えば家庭内又はランドリーなどで衣類の洗濯、乾燥、しわ除去などのように衣類を処理するための装置である。
【０００３】
衣類処理装置は、衣類の洗濯のための洗濯機、衣類の乾燥のための乾燥器、洗濯機能及び乾燥機能を兼ねる洗濯機兼用乾燥器、衣類のリフレッシュのためのリフレッシャー（Ｒｅｆｒｅｓｈｅｒ）及び衣類の不必要なしわを除去するスチーマー（Ｓｔｅａｍｅｒ）に分類可能である。
【０００４】
リフレッシャーは衣類を快適で新鮮にするための装置で、衣類を乾燥させるとか、衣類に香を供給するとか、衣類の静電気発生を防止するとか、衣類のしわを除去するとかなどの機能をする。
【０００５】
スチーマーは衣類にスチームを供給して衣類のしわを除去する装置で、一般的なアイロンとは違い、衣類と熱板間の直接接触なしに穏やかに衣類のしわを除去する。
【発明の概要】
【発明が解決しようとする課題】
【０００６】
本発明が解決しようとする課題は衣類処理装置の設置環境によって乾燥行程を制御する衣類処理装置を提供することである。
【課題を解決するための手段】
【０００７】
本発明の革新的な態様によれば、衣類処理装置は、衣類を収容する処理チャンバーが形成されるケースと、前記処理チャンバーにスチームを供給するためのスチームユニットと、前記処理チャンバー内の空気を吸入するための送風ユニットと、前記送風ユニットに吸入される空気のインレット温度を測定するインレット温度センサーと、前記送風ユニットが吸入した空気を加熱して前記処理チャンバー内に供給するためのヒートポンプユニットと、前記スチームユニット、前記送風ユニット及び前記ヒートポンプユニットを制御する制御ユニットを含む。
【０００８】
衣類処理装置は次のような選択的特徴の一つ以上を含むことができる。前記制御ユニットは、前記スチームユニットを予熱しながら前記送風ユニットの作動を開始するとき、前記インレット温度センサーが測定した予熱インレット温度（Ｔ１）によって前記ヒートポンプユニットの作動を制御する。前記スチームユニットを予熱しながら前記送風ユニットの作動を開始するとき、前記ヒートポンプユニットは作動しない。前記制御ユニットは、前記予熱インレット温度（Ｔ１）が所定の基準インレット温度（Ｔ＿ｉｎ）より高いか同じ場合、前記ヒートポンプユニットが、前記送風ユニットが吸入した空気を、前記予熱インレット温度（Ｔ１）が前記基準インレット温度（Ｔ＿ｉｎ）より低い場合より低速で加熱するように、前記ヒートポンプユニットを制御する。前記制御ユニットは、前記ヒートポンプユニットを駆動するうちに前記インレット温度センサーが測定した乾燥インレット温度（Ｔ２）と前記予熱インレット温度（Ｔ１）を比較して前記ヒートポンプユニットを制御する。
【０００９】
前記制御ユニットは、前記予熱インレット温度（Ｔ１）が所定の基準インレット温度（Ｔ＿ｉｎ）より低い場合かつ乾燥インレット温度（Ｔ２）と前記予熱インレット温度（Ｔ１）の差が所定の第１基準温度差（ΔＤ１）より大きいか同じ場合、前記ヒートポンプユニットの駆動を中止する。前記制御ユニットは、前記予熱インレット温度（Ｔ１）が前記基準インレット温度（Ｔ＿ｉｎ）より高いか同じ場合かつ乾燥インレット温度（Ｔ２）と前記予熱インレット温度（Ｔ１）の差が所定の第２基準温度差（ΔＤ２）より大きいか同じ場合、前記ヒートポンプユニットの駆動を中止する。前記第２基準温度差（ΔＤ２）は前記第１基準温度差（ΔＤ１）より小さい。前記ヒートポンプユニットは、冷媒を圧縮する圧縮機と、前記圧縮機で圧縮された冷媒を前記送風ユニットに吸入された空気と熱交換する凝縮器とを含む。
【００１０】
前記制御ユニットは、前記予熱インレット温度（Ｔ１）が所定の基準インレット温度（Ｔ＿ｉｎ）より低い場合、前記圧縮機を所定の第１運転速度（Ｖ１）で駆動する。前記制御ユニットは、前記予熱インレット温度（Ｔ１）が前記基準インレット温度（Ｔ＿ｉｎ）より高いか同じ場合、前記圧縮機を所定の第２運転速度（Ｖ２）で駆動する。前記第２運転速度（Ｖ２）は前記第１運転速度（Ｖ１）より低い。前記制御ユニットは、前記圧縮機を前記第１運転速度（Ｖ１）で駆動するとき、前記インレット温度センサーが測定した乾燥インレット温度（Ｔ２）と前記予熱インレット温度（Ｔ１）の差が所定の第１基準温度差（ΔＤ１）より大きいか同じ場合、前記圧縮機の運転を終了する。前記制御ユニットは、前記圧縮機を前記第２運転速度（Ｖ２）で駆動するとき、前記インレット温度センサーが測定した乾燥インレット温度（Ｔ２）と前記予熱インレット温度（Ｔ１）の差が所定の第２基準温度差（ΔＤ２）より大きいか同じ場合、前記圧縮機の運転を終了する。前記第２基準温度差（ΔＤ２）は前記第１基準温度差（ΔＤ１）より小さい。
【００１１】
本発明の他の革新的な態様によれば、衣類を収容する処理チャンバーが形成されるケースと、前記処理チャンバーにスチームを供給するためのスチームユニッと、；前記処理チャンバー内の空気を吸入するための送風ユニットと、前記送風ユニットに吸入される空気のインレット温度を測定するインレット温度センサーと、前記送風ユニットが吸入した空気を加熱して前記処理チャンバー内に供給するためのヒートポンプユニットを含む衣類処理装置の制御方法は、前記送風ユニットを駆動する段階と、前記送風ユニットの駆動によって、前記スチームユニットを予熱して前記送風ユニットに吸入される空気の予熱インレット温度（Ｔ１）を測定する段階と、前記スチームユニットが前記処理チャンバーにスチームを供給する段階と、前記スチームユニットの駆動を中止した後、前記送風ユニットを駆動して前記処理チャンバー内の温度を下降させる段階と、前記予熱インレット温度（Ｔ１）によって前記ヒートポンプユニットを制御して前記送風ユニットが吸入した空気を加熱して前記処理チャンバー内に吐き出す段階を含む。
【００１２】
前記方法は次のような選択的特徴の一つ以上を含むことができる。前記送風ユニットを駆動する段階は、前記ヒートポンプユニットを駆動しないことを含む。前記送風ユニットを駆動して前記ヒートポンプユニットを駆動しないとき、前記スチームユニットを予熱し、前記インレット温度（Ｔ１）を測定する。前記予熱インレット温度（Ｔ１）が所定の基準インレット温度（Ｔ＿ｉｎ）より高いか同じ場合、前記ヒートポンプユニットは、前記送風ユニットが吸入した空気を、前記予熱インレット温度（Ｔ１）が前記基準インレット温度（Ｔ＿ｉｎ）より低い場合より低速で加熱する。前記方法は、前記ヒートポンプユニットが駆動されるとき、前記送風ユニットに吸入される空気の乾燥インレット温度（Ｔ２）を測定する段階と、前記乾燥インレット温度（Ｔ２）と前記予熱インレット温度（Ｔ１）の差によって前記ヒートポンプユニットの駆動を中止する段階をさらに含む。
【００１３】
前記方法は、前記予熱インレット温度（Ｔ１）が所定の基準インレット温度（Ｔ＿ｉｎ）より低い場合かつ前記乾燥インレット温度（Ｔ２）と前記予熱インレット温度（Ｔ１）の差が所定の第１基準温度差（ΔＤ１）より大きいか同じ場合、前記ヒートポンプユニットの駆動を中止する段階と、前記予熱インレット温度（Ｔ１）が前記基準インレット温度（Ｔ＿ｉｎ）より高いか同じ場合かつ前記乾燥インレット温度（Ｔ２）と前記予熱インレット温度（Ｔ１）の差が所定の第２基準温度差（ΔＤ２）より大きいか同じ場合、前記ヒートポンプユニットの駆動を中止する段階をさらに含み、前記第２基準温度差（ΔＤ２）は前記第１基準温度差（ΔＤ１）より小さい。前記ヒートポンプユニットは、冷媒を圧縮する圧縮機と、前記圧縮機で圧縮された冷媒を前記送風ユニットに吸入された空気と熱交換する凝縮器とを含む。
【００１４】
前記圧縮機は、前記予熱インレット温度（Ｔ１）が所定の基準インレット温度（Ｔ＿ｉｎ）より低い場合、前記圧縮機を所定の第１運転速度（Ｖ１）で駆動する。前記圧縮機は、前記予熱インレット温度（Ｔ１）が前記基準インレット温度（Ｔ＿ｉｎ）より高いか同じ場合、前記圧縮機を所定の第２運転速度（Ｖ２）で駆動する。前記第２運転速度（Ｖ２）は前記第１運転速度（Ｖ１）より低い。前記方法は、前記圧縮機を前記第１運転速度（Ｖ１）で駆動するとき、前記インレット温度センサーが測定した乾燥インレット温度（Ｔ２）と前記予熱インレット温度（Ｔ１）の差が所定の第１基準温度差（ΔＤ１）より大きいか同じ場合、前記圧縮機の運転を終了する段階と、前記圧縮機を前記第２運転速度（Ｖ２）で駆動するとき、前記インレット温度センサーが測定した乾燥インレット温度（Ｔ２）と前記予熱インレット温度（Ｔ１）の差が所定の第２基準温度差（ΔＤ２）より大きいか同じ場合、前記圧縮機の運転を終了する段階をさらに含む。前記第２基準温度差（ΔＤ２）は前記第１基準温度差（ΔＤ１）より小さい。
【発明の効果】
【００１５】
本発明の衣類処理装置及びその制御方法によれば次のような効果の一つ以上を提供する。
【００１６】
第一、スチームユニットの予熱中に空気を循環する送風ファンモジュールを作動して衣類処理装置の設置された空間の温度を確認することができる。
【００１７】
第二、衣類処理装置が設置された環境の周辺温度条件によって乾燥を行うヒートポンプユニットを制御して効率的に乾燥を行うこともできる。
【００１８】
第三、衣類処理装置が設置された環境の周辺温度条件によってヒートポンプユニットの圧縮機運転速度を調節して効率的に乾燥を行うこともできる。
【００１９】
第四、衣類処理装置が設置された空間の温度とヒートポンプユニットが作動するとき、衣類を収容する処理チャンバー内の温度によってヒートポンプユニットの駆動を中止するかどうかを判断して効率的に乾燥を行うこともできる。
【図面の簡単な説明】
【００２０】
【図１】本発明の一例の衣類処理装置の斜視図である。
【図２】一例の衣類処理装置の構成の斜視図である。
【図３】一例の衣類処理装置の構成の分解斜視図である。
【図４】一例の衣類処理装置のブロック図である。
【図５】一例の衣類処理装置の各行程を示すフローチャートである。
【図６】一例の衣類処理装置の一例の制御方法を示すフローチャートである。
【発明を実施するための形態】
【００２１】
図１は一例の衣類処理装置の斜視図、図２は一例の衣類処理装置の構成の斜視図、図３は一例の衣類処理装置の一部構成の分解斜視図、図４は一例の衣類処理装置のブロック図である。
【００２２】
前記衣類処理装置は、衣類を収容する処理チャンバー１２が形成されるケース１０と、処理チャンバー１２にスチームを供給するためのスチームユニット４０と、処理チャンバー１２内の空気を吸入するための送風ユニット３０と、送風ユニット３０に吸入される空気のインレット温度を測定するインレット温度センサー３９と、送風ユニット３０が吸入した空気を加熱して処理チャンバー１２内に吐き出すためのヒートポンプユニット５０と、スチームユニット４０、送風ユニット３０及びヒートポンプユニット５０を制御する制御ユニット６０とを含む。
【００２３】
ケース１０は内部を上下方向に区画する分離板１１を備え、分離板１１の上側に衣類を収容する処理チャンバー１２が形成され、分離板１１の下側に機械装置が取り付けられるサイクルチャンバー１４が形成される。
【００２４】
ケース１０にはケース１０の前面を開閉するドア２０が備えられる。
【００２５】
処理チャンバー１２は衣類を収容し、スチーム又は空気の循環、乾燥などによって衣類のしわを除去するとかにおいを脱臭する。
【００２６】
サイクルチャンバー１４には、処理チャンバー１２内の空気を吸入して循環させる送風ユニット３０と、処理チャンバー１２にスチームを供給するスチームユニット４０と、処理チャンバー１２に加熱された空気を供給するヒートポンプユニット５０と、各ユニット３０、４０、５０を制御する制御ユニット６０とが備えられる。
【００２７】
送風ユニット３０は制御ユニット６０の制御によって処理チャンバー１２内の空気を吸入する。送風ユニット３０に吸入された空気はヒートポンプユニット５０に吐き出される。
【００２８】
送風ユニット３０は、ファンの回転によって空気を流動させて処理チャンバー１２内の空気を吸入してからヒートポンプユニット５０に吐き出す送風ファンモジュール３２と、送風ファンモジュール３２の吸入側に取り付けられ、処理チャンバー１２内の空気を送風ファンモジュール３２に案内するインレットダクト３４とを含む。
【００２９】
インレットダクト３４の一側は処理チャンバー１２と連結され、他側は送風ファンモジュール３２と連結される。インレットダクト３４の内部には、インレットダクト３４の内部を流動する空気のインレット温度を測定するインレット温度センサー３９が備えられる。インレット温度センサー３９は、処理チャンバー１２からインレットダクト３４内に吸入される空気のインレット温度を測定して制御ユニット６０に伝達する。
【００３０】
送風ファンモジュール３２の一側はインレットダクト３４と連結され、他側はヒートポンプユニット５０と連結される。送風ファンモジュール３２はシロッコファン（ｓｉｒｏｃｃｏ  ｆａｎ）、ダクト及びモーターが単一モジュールに形成される。
【００３１】
スチームユニット４０は制御ユニット６０の制御によって処理チャンバー１２にスチームを供給する。スチームユニット４０は印加された電源によって発熱し、別途の給水タンク（図示せず）から水を受けて加熱してスチームに変換させる。
【００３２】
スチームユニット４０で発生したスチームは処理チャンバー１２に吐き出される。いくつかの実施例において、スチームユニット４０で発生したスチームはヒートポンプユニット５０の流路に沿って処理チャンバー１２に流動する。いくつかの実施例において、スチームユニット４０はヒートポンプユニット５０と連結される。
【００３３】
スチームユニット４０は水を加熱する加熱器４１を含む。スチームユニット４０は制御ユニット６０の制御によって加熱器４１を予め加熱する予熱を行った後にスチームを発生する。
【００３４】
ヒートポンプユニット５０は制御ユニット６０の制御によって送風ユニット３０が吸入した空気を加熱して処理チャンバー１２内に吐き出す。ヒートポンプユニット５０は加熱された空気を処理チャンバー１２に供給する。
【００３５】
ヒートポンプユニット５０は圧縮機５１、凝縮器５３、蒸発器（図示せず）及び膨脹バルブ（図示せず）を含む冷凍サイクルで構成され、内部に凝縮器５３が配置されて流路を形成するヒートポンプ流路５５を含む。
【００３６】
圧縮機５１は冷媒を圧縮して高温高圧の状態の冷媒に作る。凝縮器５３は圧縮機で圧縮された冷媒を送風ユニット３０に吸入された空気と熱交換して空気を加熱する。膨脹バルブは凝縮器で凝縮された冷媒を膨脹させ、蒸発器は膨脹バルブで膨脹された冷媒を蒸発させて圧縮機５１に回収する。
【００３７】
ヒートポンプ流路５５は一側が送風ユニット３０の送風ファンモジュール３２と連結され、他側が処理チャンバー１２と連結される。ヒートポンプ流路５５の内部には凝縮器５３が配置される。
【００３８】
サイクルチャンバー１４の前方には水を貯蔵するタンクモジュール７０が設けられ、いくつかの実施例において、前記インレットダクト３４の前方にはタンクモジュール７０が設置されるタンクモジュールフレーム７１が設けられる。
【００３９】
タンクモジュール７０は、スチームユニット４０に水を供給する給水タンク８０と、処理チャンバー１２で生成した凝縮水を集めて貯蔵するドレインタンク９０とを含む。給水タンク８０はスチームユニット４０と連結されて水を供給し、ドレインタンク９０は処理チャンバー１２と連結され、処理チャンバー１２又はヒートポンプユニット５０で凝縮された水を貯蔵する。
【００４０】
制御ユニット６０はインレット温度センサー３９からインレット温度を受ける。制御ユニット６０は、使用者の設定又はインレット温度によってスチームユニット４０、送風ユニット３０及びヒートポンプユニット５０を制御することで、衣類処理装置で衣類が処理される各行程を設定のコースに従って行う。衣類が処理される各行程は図５を参照して後述する。
【００４１】
制御ユニット６０はスチームユニット４０を予熱しながら送風ユニット３０を作動し、インレット温度センサー３９が測定した予熱インレット温度によってヒートポンプユニット５０の作動を制御する。
【００４２】
制御ユニット６０は、予熱インレット温度が所定の基準インレット温度より高いか同じ場合、ヒートポンプユニット５０が送風ユニット３０の吸入した空気を、予熱インレット温度が基準インレット温度より低い場合より低速で加熱するように、ヒートポンプユニット５０を制御する。
【００４３】
すなわち、制御ユニット６０は、予熱インレット温度が基準インレット温度より低い場合、圧縮機５１を所定の第１運転速度で駆動し、予熱インレット温度が基準インレット温度より高いか同じ場合、圧縮機５１を第１運転速度より低い所定の第２運転速度で駆動する。圧縮機５１の運転速度は冷媒を圧縮するために回転力を発生するモーター（図示せず）の回転速度で、周波数単位で示すことができる。圧縮機５１の運転速度は圧縮機５１の圧縮能力と比例する。圧縮機５１の運転速度が高いほどヒートポンプユニット５０は空気を早く加熱し、圧縮機５１の運転速度が低いほどヒップポンプ５０は空気を徐々に加熱する。制御ユニット６０は、ヒートポンプユニット５０が空気を加熱するとき、インレット温度センサー３９が測定した乾燥インレット温度を予熱インレット温度と比較してヒートポンプユニット５０を制御する。いくつかの実施例において、制御ユニット６０は乾燥インレット温度と予熱インレット温度の差によってヒートポンプユニット５０の駆動を中止する。
【００４４】
いくつかの実施例において、予熱インレット温度が所定の基準インレット温度より低く、制御ユニット６０はヒートポンプユニット５０を駆動して、送風ユニット３０が吸入した空気を加熱して処理チャンバー１２内に吐き出す。この時、インレット温度センサー３９が測定した乾燥インレット温度と予熱インレット温度の差が所定の第１基準温度差より大きいか同じ場合、制御ユニット６０はヒートポンプユニット５０の駆動を中止する。いくつかの実施例において、予熱インレット温度が基準インレット温度より大きいか同じであり、制御ユニット６０はヒートポンプユニット５０を駆動して空気を加熱して処理チャンバー１２内に吐き出す。この時、乾燥インレット温度と予熱インレット温度の差が所定の第２基準温度差より高いか同じ場合、制御ユニット６０はヒートポンプユニット５０の駆動を中止する。この時、第２基準温度差は第１基準温度差より小さい。
【００４５】
いくつかの実施例において、制御ユニット６０は圧縮機５１を第１運転速度で駆動し、インレット温度センサー３９が測定した乾燥インレット温度と予熱インレット温度の差が所定の第１基準温度差より大きいか同じ場合、制御ユニット６０は圧縮機５１の運転を終了する。いくつかの実施例において、制御ユニット６０は圧縮機５１を第２運転速度で駆動し、インレット温度センサー３９が測定した乾燥インレット温度と予熱インレット温度の差が所定の第２基準温度差より大きいか同じ場合、制御ユニット６０は圧縮機５１の運転を終了する。この時、第２基準温度差は第１基準温度差より小さい。
【００４６】
これについての詳細な説明は図５及び図６を参照して後述する。
【００４７】
図５は一例の衣類処理装置の各行程を示すフローチャート、図６は一例の衣類処理装置の制御方法を示すフローチャートである。
【００４８】
図５は一般的なコースでの各行程を示すもので、各行程の一部は省略されるか手順が変わることがあり得る。
【００４９】
使用者が衣類処理装置の動作を開始すれば、制御ユニット６０はスチームユニット４０の加熱器４１に電力を供給して加熱器４１を予熱する予熱（Ｓ２１０）行程を行う。
【００５０】
予熱（Ｓ２１０）行程の際、制御ユニット６０は送風ユニット３０の送風ファンモジュール３２を作動する。予熱（Ｓ２１０）行程の際、ヒートポンプユニット５０は作動しない。送風ファンモジュール３２が作動するとき、インレット温度センサー３９は送風ユニット３０のインレットダクト３４に吸入される空気の温度を測定し、測定された予熱インレット温度を制御ユニット６０に伝達する。
【００５１】
加熱器４１の予熱が完了すれば、制御ユニット６０はスチーム（Ｓ２２０）行程を行う。スチーム（Ｓ２２０）行程の際、制御ユニット６０は給水タンク８０の水をスチームユニット４０に供給してスチームを生成し、処理チャンバー１２内にスチームを供給する。制御ユニット６０は送風ファンモジュール３２を作動して処理チャンバー１２内の空気を循環させる。スチーム（Ｓ２２０）行程の際、ヒートポンプユニット５０は作動しない。
【００５２】
設定の時間が経過すれば、制御ユニット６０はスチームユニット４０の作動を中止してスチーム（Ｓ２２０）行程を終了する。
【００５３】
スチーム（Ｓ２２０）行程の後、制御ユニット６０は待機（Ｓ２３０）行程及び冷却（Ｓ２４０）行程を行う。制御ユニット６０は、スチームユニット４０が作動を中止した後、送風ファンモジュール３２を比較的低いＲＰＭで回転させてスチームが衣類に充分に作用するように待機（Ｓ２３０）行程を行う。
【００５４】
制御ユニット６０は、設定の時間が経過すれば、送風ファンモジュール３２を比較的高いＲＰＭで回転させて処理チャンバー１２内の温度を下降させる冷却（Ｓ２４０）行程を行う。
【００５５】
設定の時間が経過すれば、制御ユニット６０は冷却（Ｓ２４０）行程を終了する。
【００５６】
冷却（Ｓ２４０）行程の後、制御ユニット６０は送風ファンモジュール３２を駆動し、ヒートポンプユニット５０の圧縮機５１を駆動することで、処理チャンバー１２内に加熱空気を供給する乾燥（Ｓ２５０）行程を行う。
【００５７】
乾燥（Ｓ２５０）行程の圧縮機５１の運転条件と乾燥（Ｓ２５０）行程の終了条件は図６を参照して後述する。
【００５８】
図６を参照すると、予熱（Ｓ２１０）行程の際、制御ユニット６０はヒートポンプユニット５０を作動せずに送風ファンモジュール３２を作動し、インレット温度センサー３９は送風ユニット３０に吸入される空気の予熱インレット温度Ｔ１を測定する（Ｓ３１０）。送風ファンモジュール３２の作動開始と同時に測定された予熱インレット温度Ｔ１は衣類処理装置が設置された空間の室内温度とほぼ同一であるので、制御ユニット６０は予熱インレット温度Ｔ１によって乾燥（Ｓ２５０）行程の際にヒートポンプユニット５０を制御する。
【００５９】
制御ユニット６０は、予熱インレット温度Ｔ１が所定の基準インレット温度Ｔ＿ｉｎより低いかを判断する（Ｓ３２０）。基準インレット温度Ｔ＿ｉｎは高温環境に対応するように４５℃に設定される。
【００６０】
制御ユニット６０は、予熱インレット温度Ｔ１が所定の基準インレット温度Ｔ＿ｉｎより低い場合、圧縮機５１を所定の第１運転速度Ｖ１で駆動して乾燥（Ｓ２５０）行程を行う（Ｓ３３０）。第１運転速度Ｖ１は、常温環境時の乾燥行程に対応して、送風ユニット３０が吸入した空気をヒートポンプユニット５０が比較的早く加熱するように、比較的高く設定される。
【００６１】
制御ユニット６０は圧縮機５１を第１運転速度Ｖ１で運転し、インレット温度センサー３９は送風ユニット３０に吸入される空気の乾燥インレット温度Ｔ２を持続的に測定する（Ｓ３４０）。インレット温度センサー３９は測定された乾燥インレット温度Ｔ２を制御ユニット６０に伝達する。
【００６２】
制御ユニット６０は、乾燥（Ｓ２５０）行程の際、インレット温度センサー３９が測定した乾燥インレット温度Ｔ２と予熱インレット温度Ｔ１の差が所定の第１基準温度差ΔＤ１より大きいか同じであるかを判断する（Ｓ３５０）。乾燥インレット温度Ｔ２は圧縮機５１が駆動されるとき、インレット温度センサー３９によって持続的に測定される温度値であり、予熱インレット温度Ｔ１は予熱（Ｓ２１０）行程の際にインレット温度センサー３９によって測定された温度値である。第１基準温度差ΔＤ１は、常温環境での乾燥行程に対応して、ヒートポンプユニット５０が加熱空気を比較的長い間に処理チャンバー１２内に供給するように、比較的大きく設定される。
【００６３】
制御ユニット６０は、乾燥インレット温度Ｔ２と予熱インレット温度Ｔ１の差が第１基準温度差ΔＤ１より小さい場合、持続的に乾燥インレット温度Ｔ２を測定して、乾燥インレット温度Ｔ２と予熱インレット温度Ｔ１の差が所定の第１基準温度差ΔＤ１より大きいか同じであるかを判断する。
【００６４】
制御ユニット６０は、乾燥インレット温度Ｔ２と予熱インレット温度Ｔ１の差が第１基準温度差ΔＤ１より大きいか同じ場合、圧縮機５１の運転を終了し、送風ファンモジュール３２の駆動を停止することで乾燥（Ｓ２５０）行程を終了する（Ｓ３９０）。
【００６５】
制御ユニット６０は、予熱インレット温度Ｔ１が所定の基準インレット温度Ｔ＿ｉｎより高いか同じ場合、圧縮機５１を所定の第２運転速度Ｖ２で駆動して乾燥（Ｓ２５０）行程を行う（Ｓ３６０）。第２運転速度Ｖ２は、高温環境での乾燥行程に対応して、送風ユニット３０が吸入した空気をヒートポンプユニット５０が比較的徐々に加熱するように、比較的低く設定される。すなわち、第２運転速度Ｖ２は第１運転速度Ｖ１より低く設定される。
【００６６】
制御ユニット６０は圧縮機５１を第１運転速度Ｖ２で運転し、インレット温度センサー３９は送風ユニット３０に吸入される空気の乾燥インレット温度Ｔ２を持続的に測定する（Ｓ３７０）。インレット温度センサー３９は測定された乾燥インレット温度Ｔ２を制御ユニット６０に伝達する。
【００６７】
制御ユニット６０は、インレット温度センサー３９が測定した乾燥インレット温度Ｔ２と予熱インレット温度Ｔ１の差が所定の第２基準温度差ΔＤ２より大きいか同じであるかを判断する（Ｓ３８０）。乾燥インレット温度Ｔ２は圧縮機５１が駆動されるとき、インレット温度センサー３９によって持続的に測定される温度値であり、予熱インレット温度Ｔ１は予熱（Ｓ２１０）行程の際にインレット温度センサー３９によって測定された温度値である。第２基準温度差ΔＤ２は、高温環境での乾燥行程に対応して、ヒートポンプユニット５０が加熱空気を比較的短時間の間に処理チャンバー１２内に供給するように、比較的小さく設定される。すなわち、第２基準温度差ΔＤ２は第１基準温度差ΔＤ１より小さく設定される。
【００６８】
制御ユニット６０は、乾燥インレット温度Ｔ２と予熱インレット温度Ｔ１の差が第２基準温度差ΔＤ２より小さい場合、持続的に乾燥インレット温度Ｔ２を測定して、乾燥インレット温度Ｔ２と予熱インレット温度Ｔ１の差が所定の第２基準温度差ΔＤ２より大きいか同じであるかを判断する。
【００６９】
制御ユニット６０は、乾燥インレット温度Ｔ２と予熱インレット温度Ｔ１の差が第２基準温度差ΔＤ２より大きいか同じ場合、圧縮機５１の運転を終了し、送風ファンモジュール３２の駆動を停止することで乾燥（Ｓ２５０）行程を終了する（Ｓ３９０）。
【図１】
0006697477.tif 000002
【図２】
0006697477.tif 000003
【図３】
0006697477.tif 000004
【図４】
0006697477.tif 000005
【図５】
0006697477.tif 000006
【図６】
0006697477.tif 000007